(57)【要約】      （修正有）【課題】歩行支援装置用の装着具としても使用可能な機能を備えるとともに、特に女性の方の使用への抵抗感を少なくした装着具付きスカートを提供する。【解決手段】装着具付きスカート１は、スカート１Ａと、スカート１Ａの内側に設けられた歩行支援装置用の装着具１Ｂとを備える。装着具１Ｂは、伸び率の異なる複数種の生地が縫い合わされて人Ａの腰から腿にかけて左右の腿を別々に覆う形状に構成された半ズボン本体部２と、半ズボン本体部２と歩行支援装置とを連結するための連結手段と、半ズボン本体部２を穿いた人Ａの腿回りを締め付けるための締付力を調整可能な締付力調整手段３とを備え、連結手段を介して歩行支援装置、例えば、体重免荷式の歩行支援装置の人体吊下げ点に連結される。スカート１Ａは、通常のスカートと同様な構成で、人Ａの腰から脚部にかけて左右の脚部を一緒に包むことが可能な形に形成されている。【選択図】図１
2019054847.tif 000002
【特許請求の範囲】
【請求項１】
スカートと、スカートの内側に設けられた歩行支援装置用の装着具とを備えたことを特徴とする装着具付きスカート。
【請求項２】
装着具は、
人の腰から腿部にかけて左右の腿部を別々に覆う形状に構成されてスカートの内側に設けられた半ズボン本体部と、
半ズボン本体部の腿回りを締め付けるための締付力を調整可能な締付手段とを備えたことを特徴とする請求項１に記載の装着具付きスカート。
【請求項３】
装着具は、
伸び率の異なる複数種の生地が縫い合わされて人の腰から腿部にかけて左右の腿部を別々に覆う形状に構成されてスカートの内側に設けられた半ズボン本体部と、
半ズボン本体部と歩行支援装置とを連結するための連結手段とを備え、
半ズボン本体部は、歩行支援装置の支持力を連結手段を介して人の下半身に伝達する力伝達部位の生地が、その他の部位の生地よりも伸び率の小さい生地で形成され、
連結手段は、半ズボン本体部のその他の部位の生地よりも伸び率の小さい生地で形成されて力伝達部位に繋がるように半ズボン本体部に取付けられたことを特徴とする請求項１に記載の装着具付きスカート。
【請求項４】
半ズボン本体部の左右の腿回り部の内側及び左右の腿回り部の内側と連続する股下部が前後に開くように構成されたことを特徴とする請求項２又は請求項３に記載の装着具付きスカート。
【請求項５】
装着具は、
スカートの内側に設けられた下衣と、
下衣の生地の内面に取付けられた装着ベルトとを備えたことを特徴とする請求項１に記載の装着具付きスカート。
【請求項６】
装着ベルトは、
尻当部と、尻当部より尻当部の左右に延長する尻腹支持ベルトと、尻当部より尻当部の左右に延長する尻腰支持ベルトと、左右の吊部とを備え、
尻当部が、下衣の尻部の中央部下に相当する位置に取付けられ、
尻腹支持ベルトの左端部が、下衣の左尻部に相当する位置、及び、下衣の左腹部に相当する位置を経由して、下衣の左腹部と左腰部との境界位置に相当する吊位置に至り、
尻腹支持ベルトの右端部が、下衣の右尻部に相当する位置、及び、下衣の右腹部に相当する位置を経由して、下衣の右腹部と右腰部との境界位置に相当する吊位置に至り、
尻腰支持ベルトの左端部が、下衣の左尻部に相当する位置、下衣の左下腹部に相当する位置、及び、下衣の左腰部に相当する位置を経由して、下衣の左腹部と左腰部との境界位置に相当する吊位置に至り、
尻腰支持ベルトの右端部が、下衣の右尻部に相当する位置、下衣の右下腹部に相当する位置、及び、下衣の右腰部に相当する位置を経由して、下衣の右腹部と右腰部との境界位置に相当する吊位置に至り、
左の吊部が、吊位置に至った尻腹支持ベルトの左端部と尻腰支持ベルトの左端部とに連結されるとともに、右の吊部が、吊位置に至った尻腹支持ベルトの右端部と尻腰支持ベルトの右端部とに連結されて、これら左右の吊部が吊られることを特徴とする請求項５に記載の装着具付きスカート。
【請求項７】
下衣の股下部が前後に開くように構成されたことを特徴とする請求項５又は請求項６に記載の装着具付きスカート。
【発明の詳細な説明】
【技術分野】
【０００１】
本発明は、歩行支援装置用の装着具としても使用可能な機能を備えた装着具付きスカートに関する。
【背景技術】
【０００２】
歩行支援装置の一例としての体重免荷式の歩行支援装置は、例えば図１１に示すように、キャスター(車輪）９９を備えたベースフレーム１００より立ち上がる左右の支柱１０１，１０１の上端にヒンジ１０２を介してＵ字状の支持テーブル１０３が揺動可能に設けられており、支持テーブル１０３の前端部の下面には機構吊下げ点１０４が設けられ、支持テーブル１０３の後端部の左右の下面にはそれぞれ人体吊下げ点１０５，１０５が設けられているとともに、体重免荷装置１０６を備え、一端が体重免荷装置１０６に連結されたロープ１０７の他端が機構吊下げ点１０４にフックなどの連結具１０８を介して連結されている。そして、高齢者、要介護者、リハビリ訓練者等の人Ａがズボン等の下衣Ｂの上に装着する人体吊り上げ用の装着具１１０の左右の吊部１１１，１１１がフックなどの連結具１１２，１１２を介して人体吊下げ点１０５，１０５に連結されることにより、当該歩行支援装置を使用する人Ａは、体重免荷装置１０６により、体重負荷が軽減された状態で歩行可能となる。
上述した装着具として、股下が痛くならず、長時間の使用に耐えられるように構成された装着具が知られている（特許文献１参照）。
【先行技術文献】
【特許文献】
【０００３】
【特許文献１】特開２００７−２０２９４６号公報
【発明の概要】
【発明が解決しようとする課題】
【０００４】
しかしながら、上述した装着具は、ズボン等の下衣の上に装着するものであり、装着具が下衣の上に露出するため、人が羞恥心を抱いて、使用に抵抗を感じることもあった。
本発明は、上述した課題を解消すべく、歩行支援装置用の装着具としても使用可能な機能を備えるとともに、特に女性の方の使用への抵抗感を少なくした装着具付きスカートを提供するものである。
【課題を解決するための手段】
【０００５】
本発明に係る装着具付きスカートは、スカートと、スカートの内側に設けられた歩行支援装置用の装着具とを備えた。
また、装着具は、人の腰から腿部にかけて左右の腿部を別々に覆う形状に構成されてスカートの内側に設けられた半ズボン本体部と、半ズボン本体部の腿回りを締め付けるための締付力を調整可能な締付手段とを備えた。
また、装着具は、伸び率の異なる複数種の生地が縫い合わされて人の腰から腿部にかけて左右の腿部を別々に覆う形状に構成されてスカートの内側に設けられた半ズボン本体部と、半ズボン本体部と歩行支援装置とを連結するための連結手段とを備え、半ズボン本体部は、歩行支援装置の支持力を連結手段を介して人の下半身に伝達する力伝達部位の生地が、その他の部位の生地よりも伸び率の小さい生地で形成され、連結手段は、半ズボン本体部のその他の部位の生地よりも伸び率の小さい生地で形成されて力伝達部位に繋がるように半ズボン本体部に取付けられた構成とした。
また、半ズボン本体部の左右の腿回り部の内側及び左右の腿回り部の内側と連続する股下部が前後に開くように構成された。
また、装着具は、スカートの内側に設けられた下衣と、下衣の生地の内面に取付けられた装着ベルトとを備えた。
また、装着ベルトは、尻当部と、尻当部より尻当部の左右に延長する尻腹支持ベルトと、尻当部より尻当部の左右に延長する尻腰支持ベルトと、左右の吊部とを備え、尻当部が、下衣の尻部の中央部下に相当する位置に取付けられ、尻腹支持ベルトの左端部が、下衣の左尻部に相当する位置、及び、下衣の左腹部に相当する位置を経由して、下衣の左腹部と左腰部との境界位置に相当する吊位置に至り、尻腹支持ベルトの右端部が、下衣の右尻部に相当する位置、及び、下衣の右腹部に相当する位置を経由して、下衣の右腹部と右腰部との境界位置に相当する吊位置に至り、尻腰支持ベルトの左端部が、下衣の左尻部に相当する位置、下衣の左下腹部に相当する位置、及び、下衣の左腰部に相当する位置を経由して、下衣の左腹部と左腰部との境界位置に相当する吊位置に至り、尻腰支持ベルトの右端部が、下衣の右尻部に相当する位置、下衣の右下腹部に相当する位置、及び、下衣の右腰部に相当する位置を経由して、下衣の右腹部と右腰部との境界位置に相当する吊位置に至り、左の吊部が、吊位置に至った尻腹支持ベルトの左端部と尻腰支持ベルトの左端部とに連結されるとともに、右の吊部が、吊位置に至った尻腹支持ベルトの右端部と尻腰支持ベルトの右端部とに連結されて、これら左右の吊部が吊られることを特徴とした。
また、下衣の股下部が前後に開くように構成された。
本発明によれば、歩行支援装置用の装着具としても使用可能な機能を備えるとともに、使用時に装着具が露出しないスカートとなるため、特に女性の方の使用への抵抗感を少なくした装着具付きスカートを提供できるようになる。
また、半ズボン本体部の股下部及び左右の腿回り部、下衣の股下部が前後に開くように構成されたことで、装着者は当該装着具付きスカートを穿いたまま簡単に用を足すことが可能となり、利便性に優れた装着具付きスカートとなる。
【図面の簡単な説明】
【０００６】
【図１】装着具付きスカートを穿いた人を前側から見た図（実施形態１）。
【図２】装着具付きスカートを穿いた人のスカートの図示を省略した装着具を前側から見た図（実施形態１）。
【図３】装着具付きスカートを穿いた人のスカートの図示を省略した装着具を後側から見た図（実施形態１）。
【図４】装着具付きスカートを穿いた人のスカートの図示を省略した装着具を右横側から見た図（実施形態１）。
【図５】（ａ）は装着具の正面図、（ｂ）は装着具の背面図（実施形態１）。
【図６】装着具付きスカートを穿いた人を前側から見た図（実施形態１０）。
【図７】装着具付きスカートを穿いた人のスカートの図示を省略した装着具を前側から見た図（実施形態１０）。
【図８】装着具付きスカートを穿いた人のスカートの図示を省略した装着具を後側から見た図（実施形態１０）。
【図９】装着具付きスカートを穿いた人のスカートの図示を省略した装着具を左横側から見た図（実施形態１０）。
【図１０】装着ベルトの尻当部を示す図であり、（ａ）は内面図、（ｂ）は（ａ）のＡ−Ａ断面図、（ｃ）図は（ａ）のＢ−Ｂ断面図（実施形態１０）。
【図１１】従来の歩行支援装置の一例を示す図。
【発明を実施するための形態】
【０００７】
実施形態１
図１に示すように、実施形態１の装着具付きスカート１は、スカート１Ａと、スカート１Ａの内側に設けられた歩行支援装置用の装着具１Ｂとを備えた構成である。歩行支援装置は、例えば、体重免荷式の歩行支援装置（図１１参照）である。
装着具１Ｂは、伸び率の異なる複数種の生地が縫い合わされて人Ａの腰から腿にかけて左右の腿を別々に覆う形状に構成された半ズボン本体部２と、半ズボン本体部２と歩行支援装置とを連結するための連結手段と、半ズボン本体部２を穿いた人Ａの腿回りを締め付けるための締付力を調整可能な締付力調整手段３とを備え、連結手段を介して歩行支援装置、例えば、体重免荷式の歩行支援装置の人体吊下げ点１０５（図１１参照）に連結される。
スカート１Ａは、通常のスカートと同様な構成、即ち、人Ａの腰から脚部にかけて左右の脚部を一緒に包むことが可能な形に形成されている。
実施形態１の装着具付きスカート１は、スカート１Ａの腰回り部１９の内面と半ズボン本体部２の腰回り部２１の外面とが縫い付けられてスカート１Ａが半ズボン本体部２の外側を覆うように設けられており、人Ａが半ズボン本体部２を穿いた場合にスカート１Ａを穿いているように見えるように構成されている。
尚、スカート１Ａの腰回り部１９の内面と半ズボン本体部２の腰回り部２１の外面とが、面ファスナー、ファスナー、その他の着脱手段により、着脱可能に構成されていてもよい。
【０００８】
図２乃至図５に示すように、半ズボン本体部２は、人Ａの腰から腿にかけて左右の腿を別々に包む形で下半身に穿く一般的な通常の半ズボンと同じ機能を有し、人Ａの腰の周囲Ａ１を覆う腰回り部２１と、人Ａの下腹Ａ２を覆う下腹覆い部２２と、人Ａの腿（大腿部）Ａ３の周囲を覆う腿回り部２３と、人Ａの尻Ａ４を覆う尻覆い部２４と、腿回り部２３と尻覆い部２４との境界部分に位置される尻下覆い部２５とを備える。
【０００９】
半ズボン本体部２は、伸び率の異なる複数種の生地を縫い合わせて構成される。
半ズボン本体部２は、例えば、伸び率の異なる複数種類のデニム（denim）を縫い合わせて形成された所謂ジーンズに構成される。
図５に示すように、半ズボン本体部２において、腰回り部２１、下腹覆い部２２、腿回り部２３は、矢印Ａで示すように、半ズボン本体部２の長さ方向と直交する横方向に伸縮しやすいデニム（生地）が使用され、尻覆い部２４は、矢印Ｂで示すように、半ズボン本体部２の長さ方向に沿った縦方向に伸縮しやすいデニム（生地）が使用されている。尚、図５では、後述する紐３４、紐固定具３５の図示を省略している。
そして、図５においてハッチングで示すように、半ズボン本体部２の尻下覆い部２５、及び、後述する一対（前後）の紐通し穴付き縦ベルト部３１，３２は、縦方向及び横方向の伸び率が、腰回り部２１、下腹覆い部２２、腿回り部２３、尻覆い部２４を形成するデニムよりも伸び率の小さいデニム、即ち、伸縮し難いデニムが使用されている。
即ち、半ズボン本体部２は、歩行支援装置による吊上げ力及び支持力を上述した連結手段を介して人Ａの下半身に伝達する力伝達部位となる尻下覆い部２５の生地が、その他の部位となる腰回り部２１、下腹覆い部２２、腿回り部２３、尻覆い部２４の生地よりも伸び率の小さい生地で形成され、かつ、連結手段は、半ズボン本体部２のその他の部位の生地よりも伸び率の小さい生地で形成されて力伝達部位となる尻下覆い部２５に繋がるように半ズボン本体部２に縫い付けられている。
連結手段は、例えば、半ズボン本体部２の左側部に半ズボン本体部２の長さ方向に延長するように半ズボン本体部２及び尻下覆い部２５の左端側に縫い付けられた左側帯状体としての後述する後側の紐通し穴付き縦ベルト部３２と、半ズボン本体部２の右側部に半ズボン本体部２の長さ方向に延長するように半ズボン本体部２及び尻下覆い部２５の右端側に縫い付けられた右側帯状体としての後述する後側の紐通し穴付き縦ベルト部３２とを備え、これら連結手段として機能する後側の紐通し穴付き縦ベルト部３２，３２の上端側に着脱不能又は着脱可能に取付けられた溶接リング（丸環）等の連結部３６，３６と体重免荷式の歩行支援装置の人体吊下げ点１０５（図１１参照）とが互いに直接連結されたり、図外の吊りロープ等で連結されることによって、当該装着具付きスカート１を穿いた人Ａは、体重免荷装置により、体重負荷が軽減された状態で歩行可能となる。
尚、連結部３６をスカート１Ａの内側からスカート１Ａの外側に引き出すための通し孔や、図外の吊りロープ等をスカート１Ａの外側からスカート１Ａの内側の連結部３６に連結するために図外の吊りロープ等を通す通し孔が、スカート１Ａに形成されている。
【００１０】
尚、伸び率は、例えば、「ＪＩＳ  Ｌ  １０９６  織物及び編物の生地試験方法」に基づくＢ法（織物の定荷重法）で求められる伸び率である。即ち、幅５０ｍｍ、長さ３００ｍｍの試験片をたて方向及びよこ方向に３枚ずつ調整し、全幅をつかむように引張試験機又はこれと同等の性能を持つ装置にセットした後、２００ｍｍ間隔（Ｌ０）に印を付けて１４．７Ｎの荷重を加えることによって、１分間保持後の印間の長さ（Ｌ１）を測定し、この測定した値を用いて次式（１）によって求められる伸び率（％）である。
伸び率（％）＝{(Ｌ１−Ｌ０)／Ｌ０}×１００…（１）
【００１１】
締付力調整手段３は、右腿部締付力調整手段３Ａと左腿部締付力調整手段３Ｂとを備える。
図４に示すように、右腿部締付力調整手段３Ａは、半ズボン本体部２の腰回り部２１の右側部から腿回り部２３の右側部にかけて延長するように設けられた前後の紐通し穴付き縦ベルト部３１，３２と、当該前後の紐通し穴付き縦ベルト部３１，３２の紐通し穴３３，３３…に、下から上方向に交互に通された紐３４と、締め付けた紐３４の両方の端部３４ａ，３４ａ側を固定するコードストッパー等の紐固定具３５とを備えて構成される。
同様に、図２に示すように、左腿部締付力調整手段３Ｂは、半ズボン本体部２の腰回り部２１の左側部から腿回り部２３の左側部にかけて延長するように設けられた前後の紐通し穴付き縦ベルト部３１，３２と、当該前後の紐通し穴付き縦ベルト部３１，３２の紐通し穴３３，３３…に、下から上方向に交互に通された紐３４と、締め付けた紐３４の両方の端部３４ａ，３４ａ側を固定するコードストッパー等の紐固定具３５とを備えて構成される。
【００１２】
半ズボン本体部２の左右にそれぞれ設けられた、前後の紐通し穴付き縦ベルト部３１，３２は、腰回り部２１から腿回り部２３の膝上位置まで延長するように、それぞれ、半ズボン本体部２の左右の側部に縫い付けられている。
図４に示すように、前側の紐通し穴付き縦ベルト部３１と後側の紐通し穴付き縦ベルト部３２とが半ズボン本体部２の腿回り部２３の周方向（図４に示す前後方向）に所定間隔を隔てて設けられ、前側の紐通し穴付き縦ベルト部３１の一方の長辺縁側及び上端縁側が半ズボン本体部２の側部の前側寄りの部分に縫い付けられるとともに、後側の紐通し穴付き縦ベルト部３２の一方の長辺縁側及び上端縁側が半ズボン本体部２の側部の後側寄りの部分に縫い付けられることにより、前側の紐通し穴付き縦ベルト部３１の縫い付けられていない他方の長辺縁と後側の紐通し穴付き縦ベルト部３２の縫い付けられていない他方の長辺縁とが互いに向かい合うように位置される。
このように半ズボン本体部２に縫い付けられた前後の紐通し穴付き縦ベルト部３１，３２の間に存在する半ズボン本体部２の側部の生地は、腿回り部２３の一部、及び、下腹覆い部２２と尻覆い部２４との境界部を形成し、これら腿回り部２３、下腹覆い部２２、尻覆い部２４と同様の横方向に伸縮しやすいデニムが使用される。
【００１３】
紐通し穴付き縦ベルト部３１，３２には、それぞれ、図２に示すように、例えば、半ズボン本体部２の長さ方向（縦方向）に所定の間隔を隔てて５つの紐通し穴３３，３３…が形成されている。
そして、紐３４の一端側から、前側の紐通し穴付き縦ベルト部３１の下から一番目に位置される紐通し穴３３、後側の紐通し穴付き縦ベルト部３２の下から二番目に位置される紐通し穴３３、前側の紐通し穴付き縦ベルト部３１の下から三番目に位置される紐通し穴３３、後側の紐通し穴付き縦ベルト部３２の下から四番目に位置される紐通し穴３３、前側の紐通し穴付き縦ベルト部３１の下から五番目（一番上）に位置される紐通し穴３３に通すとともに、紐３４の他端側から、後側の紐通し穴付き縦ベルト部３２の下から一番目に位置される紐通し穴３３、前側の紐通し穴付き縦ベルト部３１の下から二番目に位置される紐通し穴３３、後側の紐通し穴付き縦ベルト部３２の下から三番目に位置される紐通し穴３３、前側の紐通し穴付き縦ベルト部３１の下から四番目に位置される紐通し穴３３、後側の紐通し穴付き縦ベルト部３２の下から五番目（一番上）に位置される紐通し穴３３に通して、紐３４の両方の端部３４ａ，３４ａ側を引っ張ることにより、前側の紐通し穴付き縦ベルト部３１の縫い付けられていない他方の長辺縁と後側の紐通し穴付き縦ベルト部３２の縫い付けられていない他方の長辺縁とが互いに近付く方向に引っ張られて、腿回り部２３が人Ａの腿回りを締め付ける（図４参照）。
当該装着具付きスカート１の半ズボン本体部２を穿いた人Ａに合った締め付け状態に設定した後、紐３４の両方の端部３４ａ，３４ａ側をコードストッパー等の紐固定具３５で固定することにより、当該締め付け状態が維持される。
つまり、締付力調整手段３は、半ズボン本体部２を穿いた人Ａの腿の太さに合わせて、紐３４の引張り具合を調整することにより、半ズボン本体部２を穿いた人Ａの腿回りを締め付けるための締付力を簡単に調整できるように構成されている。
【００１４】
そして、半ズボン本体部２と体重免荷式の歩行支援装置の人体吊下げ点とを連結するための連結手段として機能する左右の後側の紐通し穴付き縦ベルト部３２，３２の上端側にそれぞれ取付けられた溶接リング（丸環）等の連結部３６，３６と、例えば、図１１に示した歩行支援装置の人体吊下げ点１０５とが連結されることにより、当該歩行支援装置を使用する人Ａは、体重免荷装置により、体重負荷が軽減された状態で歩行可能となる。
【００１５】
実施形態１の装着具付きスカート１では、体重免荷式の歩行支援装置の人体吊り上げ用の装着具としても使用可能な機能を備えるとともに、人Ａが半ズボン本体部２を穿いた場合にスカートを穿いているように見えるように構成されており、使用時に装着具が露出しないスカートとなるため、通常のスカートと比べて外観の違いを少なくできるので、例えば女性の介護必要者が日常生活において装着していても介護用として認識されにくくなるので、女性の介護必要者の羞恥心を取り除けるようになる。
即ち、人体吊り上げ用の装着具として使用可能で、かつ、使用時に装着具が露出しないスカートとなるため、特に、女性の方の使用への抵抗感を少なくできる装着具付きスカート１を提供できるようになる。
【００１６】
また、実施形態１の装着具付きスカート１では、締付力調整手段３、即ち、半ズボン本体部２の右側部に右腿部締付力調整手段３Ａを備えるとともに半ズボン本体部２の左側部に左腿部締付力調整手段３Ｂを備えているので、これら右左の脚部締付力調整手段３Ａ，３Ｂにより、半ズボン本体部２を穿いた人Ａの腿回りを締め付けるための締付力を調整することによって、左右の腿回り部２３，２３が人Ａの腿Ａ３を締め付けた状態となり、連結部３６，３６が歩行支援装置の人体吊下げ点に連結された場合に、吊上げ力及び支持力が左右の腿回り部２３，２３を介して人Ａの腿Ａ３に伝達され、体重免荷装置により、体重負荷が軽減された状態での歩行が可能となる装着具付きスカート１を提供できる。即ち、体重免荷式の歩行支援装置の人体吊り上げ用の装着具として使用可能な機能を備えた装着具付きスカート１を提供できる。
【００１７】
さらに、実施形態１の装着具付きスカート１では、半ズボン本体部２の右腿部締付力調整手段３Ａ及び左腿部締付力調整手段３Ｂにおける、前後の紐通し穴付き縦ベルト部３１，３２が、腰回り部２１から腿回り部２３の膝上位置まで延長するように設けられているので、右左の脚部締付力調整手段３Ａ，３Ｂで締付力を調整することで左右の腿回り部２３，２３が人Ａの腿Ａ３のほぼ全体を締め付けた状態となる。従って、連結部３６，３６が歩行支援装置の人体吊下げ点に連結された場合に、吊上げ力及び支持力が左右の腿回り部２３，２３を介して人Ａの腿回りのほぼ全体に伝達されるようになり、吊上げ力及び支持力が人Ａの股下に伝達されにくくなるため、股下が痛くならず、歩行支援装置の長時間の使用に耐えられる装着具付きスカート１を提供できる。
【００１８】
また、実施形態１の装着具付きスカート１では、連結手段として機能する後側の紐通し穴付き縦ベルト部３２、及び、歩行支援装置の吊上げ力及び支持力を連結手段を介して人の下半身に伝達する力伝達部位となる半ズボン本体部２の尻下覆い部２５の生地が、半ズボン本体部２のその他の部位となる腰回り部２１、下腹覆い部２２、腿回り部２３、尻覆い部２４の生地よりも伸び率の小さい生地で形成されて、連結手段として機能する後側の紐通し穴付き縦ベルト部３２の下部側と尻下覆い部２５とが縫い付けられているので、連結部３６，３６が歩行支援装置の人体吊下げ点に連結された場合に、伸縮しにくい丈夫なデニムにより形成された後側の紐通し穴付き縦ベルト部３２と尻下覆い部２５とによって吊上げ力及び支持力が人Ａの尻下に確実に伝達される。また、尻下覆い部２５は伸びにくいため、尻下覆い部２５が尻下に食い込みにくくなって、尻下が痛くなりにくくなり、歩行支援装置の長時間の使用に耐えられる装着具付きスカート１を提供できるようになる。
また、吊上げ力及び支持力が左右の腿回り部２３，２３と尻下覆い部２５とを介して人Ａの腿回りと尻下とに伝達されて、股下に伝達されにくくなるため、股下が痛くならず、歩行支援装置の長時間の使用に耐えられる装着具付きスカート１を提供できる。
【００１９】
また、実施形態１の装着具付きスカート１では、半ズボン本体部２の下腹覆い部２２及び腿回り部２３が、半ズボン本体部２の長さ方向と直交する横方向に伸縮しやすいデニム（生地）により形成されているため、人Ａの下半身の動きに応じて、半ズボン本体部２の下腹覆い部２２及び腿回り部２３が伸縮しやすくなり、動き易いズボンとなる。
さらに、実施形態１の装着具付きスカート１では、半ズボン本体部２の尻覆い部２４が、半ズボン本体部２の長さ方向に沿った縦方向に伸縮しやすいデニム（生地）により形成されているため、人Ａの座る動作に応じて、尻覆い部２４が伸縮しやすくなり、人Ａの着座時の動作が容易な装着具付きスカート１となる。
【００２０】
実施形態２
締付力調整手段は、半ズボン本体部２に設けられた空気給排装置であってもよい。
当該空気給排装置は、例えば、半ズボン本体部２の左右の側部にそれぞれ設けられた、腰回り部２１から腿回り部２３の膝上位置まで延長して空気の給排により横方向に伸縮する空気室を形成する伸縮袋体により形成され、当該伸縮袋体内に空気を充填することによより、空気室が横方向に膨張して左右の腿回り部２３，２３が人Ａの腿（大腿部）Ａ３を締め付けるように構成されている。
即ち、実施形態２の締付力調整手段は、上述した伸縮袋体内への空気の充填量を調整することにより、半ズボン本体部２を穿いた人Ａの腿回りを締め付けるための締付力を調整可能とした構成である。
【００２１】
実施形態３
締付力調整手段は、半ズボン本体部２に設けられた面ファスナーであってもよい。
例えば、腰回り部２１から腿回り部２３の膝上位置まで延長するように、半ズボン本体部２の左右の側部に縫い付けられた縦ベルト部にフックと呼ばれるかぎ爪状の突起を設けるとともに、当該縦ベルトから半ズボン本体部２の腿回り部２３の周方向に間隔を隔てた位置にループと呼ばれる起毛部を設けて、フックとループとの結合位置を調整することにより、半ズボン本体部２を穿いた人Ａの腿回りを締め付けるための締付力を調整可能とした構成である。
半ズボン本体部２の縦方向に間隔を隔てて、半ズボン本体部２の腿回り部２３の周方向に延長する複数の横ベルト部にフックを設けるようにしてもよい。
尚、ベルト部にループを設けて、当該ベルトから半ズボン本体部２の腿回り部２３の周方向に間隔を隔てた位置にフックを設けても良い。
【００２２】
実施形態４
締付力調整手段は、半ズボン本体部２に設けられたボタン掛け部であってもよい。
例えば、半ズボン本体部２の縦方向に間隔を隔てて複数のボタンを備えたボタン付き縦ベルト部を腰回り部２１から腿回り部２３の膝上位置まで延長するように半ズボン本体部２の左右の側部に設けるとともに、ボタン付き縦ベルト部から半ズボン本体部２の腿回り部２３の周方向に間隔を隔てた複数の位置にボタン掛け孔を設け、ボタンを留めるボタン掛け孔の位置を選択することによって、半ズボン本体部２を穿いた人Ａの腿回りを締め付けるための締付力を調整可能とした構成とすればよい。
あるいは、半ズボン本体部２の縦方向に間隔を隔てて複数のボタンを備えたボタン付き縦ベルト部を腰回り部２１から腿回り部２３の膝上位置まで延長するように半ズボン本体部２の左右の側部に設けるとともに、ボタン付き縦ベルト部の各ボタンから半ズボン本体部２の腿回り部２３の周方向に所定間隔を隔てた位置にそれぞれボタン掛け孔を設け、ボタン掛け孔に留めるボタンの数によって、半ズボン本体部２を穿いた人Ａの腿回りを締め付けるための締付力を調整可能とした構成としてもよい。
尚、ボタンは、半ズボン本体部２の縦方向に間隔を隔てて半ズボン本体部２の腿回り部２３の周方向に延長する複数の横ベルト部に設けるようにしてもよい。
【００２３】
実施形態５
また、実施形態１乃至実施形態４では、締付力調整手段が、半ズボン本体部２の左右の側部にそれぞれ設けられた構成のズボンを例示したが、締付力調整手段が、例えば、半ズボン本体部２の左右の腿回り部２３，２３の前側、又は、半ズボン本体部２の左右の腿回り部２３，２３の後側に設けられた構成としてもよい。即ち、締付力調整手段は、半ズボン本体部２を穿いた人の腿回りを締め付けるための締付力を調整可能な構成であればよい。
【００２４】
実施形態６
また、実施形態１乃至実施形態５では、半ズボン本体部２の腰回り部２１から腿回り部２３の膝上位置まで延長するように設けられた締付力調整手段を例示したが、締付力調整手段は、半ズボン本体部２を穿いた人の腿回りを締め付けるための締付力を調整可能な構成であればよいので、例えば、腿回り部２３にだけ設けられていても良い。
【００２５】
実施形態７
実施形態１乃至実施形態６では、半ズボン本体部２を、伸び率の異なる複数種の生地を縫い合わせて形成した例を示したが、半ズボン本体部２は、同じ生地で形成されたものであってもよい。
実施形態７の構成の装着具付きスカート１であっても、締付力調整手段を備え、かつ、通常のスカートと比べて外観の違いが少ないので、体重免荷式の歩行支援装置の人体吊り上げ用の装着具としても使用可能な機能を備えるとともに、特に女性の方の使用への抵抗感を少なくした装着具付きスカート１を提供できるようになる。
【００２６】
実施形態８
また、実施形態１乃至実施形態７では、締付力調整手段を有した半ズボン本体部２を備えた装着具付きスカート１を例示したが、締付力調整手段を備えていない半ズボン本体部２を備えた装着具付きスカート１であってもよい。
例えば、腿回り部２３の腿回り寸法の違う複数の半ズボン本体部２を用意しておいて、使用者が自分の腿回りの寸法に合った半ズボン本体部２を選択するようにしてもよい。
このような装着具付きスカート１であっても、連結手段を構成する後側の紐通し穴付き縦ベルト部３２、及び、力伝達部位となる半ズボン本体部２の尻下覆い部２５の生地が、半ズボン本体部２のその他の部位となる腰回り部２１、下腹覆い部２２、腿回り部２３、尻覆い部２４の生地よりも伸び率の小さい生地で形成されていて、後側の紐通し穴付き縦ベルト部３２と同様の帯状体の下部側と尻下覆い部２５とが縫い付けられていれば、連結部３６が歩行支援装置の人体吊下げ点に連結された場合に、伸縮しにくい丈夫なデニムにより形成された帯状体と尻下覆い部２５とによって吊上げ力が人Ａの尻下に確実に伝達される。つまり、体重免荷式の歩行支援装置の人体吊り上げ用の装着具としても使用可能な機能を備えるとともに、使用への抵抗感を少なくした装着具付きスカート１を提供できるようになる。
尚、実施形態８のズボンにおいては、腿回り部２３の一部を尻下覆い部２５と同様の伸び率の小さい頑丈な生地で形成して、人Ａの腿回りに対する締付力が強くなるように構成することが好ましい。
【００２７】
実施形態９
また、力伝達部位を、下腹覆い部２２及び尻覆い部２４としたり、腿回り部２３として、これら力伝達部位の生地が、その他の部位の生地よりも伸び率の小さい生地で形成された半ズボン本体部２と、半ズボン本体部２のその他の部位の生地よりも伸び率の小さい生地で形成されて力伝達部位に繋がるように半ズボン本体部２に縫い付けられた連結手段とを有した装着具を備えた装着具付きスカート１としてもよい。
この場合、締付力調整手段の後側の紐通し穴付き縦ベルト部３１を連結手段として用いてもよいし、締付力調整手段を備えない構成においては、力伝達部位に繋がるように半ズボン本体部２に縫い付けられた連結手段を設けるようにすればよい。
【００２８】
尚、上述した連結手段は、半ズボン本体部と力伝達部位とに接着剤等の固定手段で取付けられた構成としてもよい。
また、半ズボン本体部２の生地は、デニム以外の生地を用いてもよいことはもちろんである。例えば、メッシュ生地等の通気性に優れた生地を用いてもよい。
【００２９】
実施形態１０
図６に示すように、実施形態１０の装着具付きスカート１は、スカート１Ａと、スカート１Ａの内側に設けられた歩行支援装置用の装着具１Ｃとを備え、装着具１Ｃが、スカート１Ａの内側に設けられた下衣２Ａと、下衣２Ａの生地の内面に取付けられた装着ベルト３Ａとを備えた構成である。
即ち、実施形態１０のスカート１は、スカート１Ａの腰回り部１９の内面と下衣２Ａの腰回り部２１の外面とが縫い付けられてスカート１Ａが下衣２Ａの外側を覆うように設けられており、人Ａが下衣２Ａを穿いた場合にスカート１Ａを穿いているように見えるように構成されている。
尚、スカート１Ａの腰回り部１９の内面と下衣２Ａの腰回り部２１の外面とが、面ファスナー、ファスナー、その他の着脱手段により、着脱可能に構成されていてもよい。
また、下衣２Ａは、下半身に着る服（ボトムス）であり、例えば、人Ａの腰から腿にかけて左右の腿を別々に包む形で下半身に穿く一般的な通常の半ズボン、又は、半ズボンよりも長さが短いパンツである。下衣２Ａの生地は、どのような生地であっても構わない。
【００３０】
図７乃至図９に示すように、装着ベルト３Ａは、腹支持部４と、腰支持部５と、尻当部６と、尻腹支持ベルト７と、尻腰支持ベルト８と、股保持部９と、左右の吊部１０，１０とを備える。
【００３１】
図７に示すように、腹支持部４は、下衣２Ａの前開口を開閉するファスナー（線ファスナー）１５の左右両側に位置する左腹部の内側及び右腹部の内面にそれぞれ別々に縫い込まれた長方形の左右の補強布４１，４１と、左右の尻腹支持ベルトガイド部４２：４２とを備えて構成される。尚、１６は下衣２Ａの前留めボタンである。
左右の尻腹支持ベルトガイド部４２：４２は、それぞれ左右の補強布４１，４１に取付けられている。
尻腹支持ベルトガイド部４２は、例えば金属製のガイドリング４３と、ガイドリング４３と補強布４１とを連結する例えば３つの連結布４４，４４…とを備えて構成される。
【００３２】
図８に示すように、腰支持部５は、下衣２Ａの腰部の内面に縫い込まれた長方形状の補強布５１と、当該補強布５１の左右の両端部に設けられた左右の尻腰支持ベルトガイド部５２：５２とを備えて構成される。
尻腰支持ベルトガイド部５２は、例えば金属製のガイドリング５３と、ガイドリング５３と補強布５１とを連結する例えば３つの連結布５４，５４…とを備えて構成される。
【００３３】
図８に示すように、尻当部６は、下衣２Ａの尻部の中央部下に相当する位置の内面に縫い込まれている。
図１０に示すように、尻当部６は、尻当部本体６１とサドル６２とを備える。
サドル６２は、装着具付きスカート１を装着する人Ａの尻の左右の中央部下の凹部、つまり、人Ａにおける尾骨から尻の穴までの間に位置する所定の尻当位置としての凹部に嵌り込むような凸部により形成される。つまり、サドル６２が下衣２Ａを穿く人Ａの尻の左右の中央部下の凹部に係合する形状に形成されている。
サドル６２は、図１０に示すように、木や合成樹脂や硬質ゴム等の材料を加工して凸部形状に形成された凸体６３が尻当部本体６１を形成する例えば円形状の２つの布体、即ち、表布６４及び裏布６５の間に挟み込まれた状態で凸体６３の周囲の表布６４と裏布６５とが縫い合わされることで尻当部本体６１と一体に形成されている。図１０（ａ）のサドル６２の内側の点線は等高線であり、したがって、サドル６２は頂上Ｆを有した山形形状であり、図１０（ａ）のＡ−Ａ断面形状、Ｂ−Ｂ断面形状が図１０（ｂ），（ｃ）に示すような形状に形成される。即ち、サドル６２が、所定の尻当位置に係合する形状に形成されるように、下衣２Ａの尻部の中央部下に相当する位置の内面に尻当部６の外表面６ａを対面させて当該尻当部６が下衣２Ａに縫い込まれている。
このサドル６２が所定の尻当位置としての人Ａの尻の上記凹部に嵌り込むように位置されることによって、尻当部６が人Ａの尻の下を下から覆うように尻肉の出っ張り面の所定位置に当てられる。このように尻当部６のサドル６２が所定の尻当位置に当てられて装着具付きスカート１が人Ａに正確に装着され、この装着具付きスカート１が上方に吊られた場合には、サドル６２が人Ａの坐骨を正確に支持するように構成されている。
【００３４】
図９に示すように、尻腹支持ベルト７は、例えば中央部が尻当部６の外表面６ａに縫い付けられて当該尻当部６が下衣２Ａの尻部の内面に縫い付けられることで下衣２Ａの尻部の内面に固定されて、尻当部６を中心として尻当部６より尻当部６の左右に延長するように設けられたベルトである。
尻腹支持ベルト７の左端部７１が、下衣２Ａの左尻部に相当する位置、及び、左の尻腹支持ベルトガイド部４２のガイドリング４３を通過することで下衣２Ａの左腹部に相当する位置を経由して折り返されて、下衣２Ａの左腹部と左腰部との境界位置に相当する吊位置に至って左の吊部１０に連結される。
同様に、尻腹支持ベルト７の右端部７２が、下衣２Ａの右尻部に相当する位置、及び、右の尻腹支持ベルトガイド部４２のガイドリング４３を通過することで下衣２Ａの右腹部に相当する位置を経由して折り返されて、下衣２Ａの右腹部と右腰部との境界位置に相当する吊位置に至って右の吊部１０に連結される（図７参照）。
【００３５】
図９に示すように、尻腰支持ベルト８は、例えば中央部が尻当部６の外表面６ａに縫い付けられて当該尻当部６が下衣２Ａの尻部の内面に縫い付けられることで下衣２Ａの尻部の内側に固定されて、尻当部６を中心として尻当部６より尻当部６の左右に延長するように設けられたベルトである。
尻腰支持ベルト８の左端部８１が、下衣２Ａの左尻部に相当する位置、下衣２Ａの左下腹部の内側に取付けられた金属製のガイドリング４５を通過することで下衣２Ａの左下腹部に相当する位置を経由して折り返され、さらに、左の尻腰支持ベルトガイド部５２のガイドリング５３を通過することで下衣２Ａの左腰部に相当する位置を経由して折り返され、下衣２Ａの左腹部と左腰部との境界位置に相当する吊位置に至って左の吊部１０に連結される。
同様に、尻腰支持ベルト８の右端部８２が、下衣２Ａの右尻部に相当する位置、下衣２Ａの右下腹部の内側に取付けられた金属製のガイドリング４５を通過することで下衣２Ａの右下腹部に相当する位置を経由し折り返され、さらに、右の尻腰支持ベルトガイド部５２のガイドリング５３を通過することで下衣２Ａの右腰部に相当する位置を経由して折り返され、下衣２Ａの右腹部と右腰部との境界位置に相当する吊位置に至って右の吊部１０に連結される（図７，図８参照）。
【００３６】
図９に示すように、股保持部９は、尻当部６より当該尻当部６の左右に延長するように尻当部６に連結されるとともに、股保持部９の左部分が、下衣２Ａの股下に相当する位置から下衣２Ａの左脚前側の付け根に相当する位置に沿って下衣２Ａの左腰部に相当する位置まで延長するように下衣２Ａの内面に縫い付けられて取付けられ、かつ、股保持部９の右部分が、下衣２Ａの股下に相当する位置から下衣２Ａの右脚前側の付け根に相当する位置に沿って下衣２Ａの右腰部に相当する位置まで延長するように下衣２Ａの内面に縫い付けられて取付けられる。
尚、股保持部９は、股下当部９１と脚付け根保持部９２とを備え、下衣２Ａの股下に相当する位置には、人Ａが吊られた状態で股下が痛くならないように、柔らかい材質でかつ幅広の軟質ベルトにより形成された股下当部９１が縫い付けられており、下衣２Ａの脚の付け根に相当する位置には、股下当部９１に連結された巾狭の脚付け根保持部９２が縫い付けられている。
【００３７】
図９に示すように、左右の吊部１０，１０は、それぞれ、吊ベルト１１と、吊ベルト１１の一端に設けられた金属製の連結リング１２と、吊ベルト１１の他端に設けられたフックなどの連結具１３とを備える。
そして、吊位置に至った尻腹支持ベルト７の左端部７１と尻腰支持ベルト８の左端部８１とが左の吊部１０の連結リング１２に連結されるとともに、吊位置に至った尻腹支持ベルト７の右端部７２と尻腰支持ベルトの右端部８２とが右の吊部１０の連結リング１２に連結されて、これら左右の吊部１０，１０の連結具１３，１３が例えば図１１に示した体重免荷式の歩行支援装置装置の人体吊下げ点１０５，１０５に連結されることにより、装着具付きスカート１を装着した人Ａは、体重免荷式の歩行支援装置により体重が軽減された状態で歩行できるようになる。
尚、吊部１０をスカート１Ａの内側からスカート１Ａの外側に引き出すための通し孔が、スカート１Ａに形成されている。
【００３８】
人Ａに装着された装着具付きスカート１の左右の吊部１０，１０が歩行支援装置の体重免荷装置により吊り上げられた場合に、尻腹支持ベルト７、尻腰支持ベルト８が吊り上げられるのに伴って、尻当部６、尻腹支持ベルト７、尻腰支持ベルト８、腹支持部４、腰支持部５には、図９の矢印で示したような力が加わって、腹支持部４、腰支持部５、尻当部６、尻腹支持ベルト７、尻腰支持ベルト８により、人Ａの腹、尻、腰がしっかりと支持されるようになる。
【００３９】
実施形態１０による装着具付きスカート１によれば、体重免荷式の歩行支援装置の人体吊り上げ用の装着具としても使用可能な機能を備えるとともに、使用時において人Ａがスカートを穿いているように見えるように構成されており、使用時に装着具が露出しないスカートとなるため、通常のスカートと比べて外観の違いを少なくできるので、例えば女性の介護必要者が日常生活において装着していても介護用として認識されにくくなるので、女性の介護必要者の羞恥心を取り除けるようになる。
即ち、人体吊り上げ用の装着具として使用可能で、かつ、使用時に装着具が露出しないスカートとなるため、特に、女性の方の使用への抵抗感を少なくできるようなる装着具付きスカート１を提供できるようになる。
【００４０】
また、実施形態１０による装着具付きスカート１によれば、腹支持部４と腰支持部５と尻当部６と尻腹支持ベルト７と尻腰支持ベルト８と股保持部９とを有した装着ベルト３Ａが下衣２Ａの内面に取付けられた構成であるので、下衣を穿く作業と装着ベルトを装着する作業とを別々に行う必要がなく、下衣２Ａを穿くだけなので、装着が容易となる。
【００４１】
また、人Ａに装着された装着具付きスカート１が左右の吊部１０，１０を介して吊られた場合に、尻当部６，尻腹支持ベルト７，尻腰支持ベルト８によって人Ａの坐骨が支持されて人Ａが吊り上げられ、人Ａの股下に吊り上げ力による力がかかり難くなるので、股下が痛くならず、長時間の使用に耐えられる装着具付きスカート１が得られる。さらに、尻当部６のサドル６２が人Ａの所定の尻当位置に当てられて装着具付きスカート１が人Ａに装着されることによって、この装着具付きスカート１が吊られた場合に、サドル６２が人Ａの坐骨を正確に支持するため、長時間の使用によっても股下が痛くならない装着具付きスカート１が得られる。尚、尻当部６がサドル６２を備えない場合には、尻当部６が人Ａの所定の尻当位置に正確に当てられていなかったり、使用中に尻当部６が前後に位置ずれしたりすることによって、吊り上げ力が股下部に加わる股吊状態となることがあるが、尻当部６がサドル６２を備えていれば、サドル６２が所定の尻当位置Ｘに当てられている場合、サドル６２の位置が前方や後方にずれず、股吊状態となることを防止できる。
【００４２】
さらに、股保持部９を備えるので、人Ａの股下部分を安定に保持できる。また、股保持部９には吊り上げ力が加わらないので、股下が痛くならず、長時間の使用に耐えられる装着具付きスカート１が得られる。
【００４３】
実施形態１１
実施形態１０で説明した股保持部９を有しない装着ベルトを備えた構成の装着具付きスカート１としてもよい。例えば、生地の厚さが厚い下衣２Ａを用いる場合等、下衣２Ａ自体で人Ａの股下部分を安定に保持できるような場合においては、必ずしも股保持部９を設けなくてもよい。
【００４４】
尚、実施形態１０，１１においては、ガイドリング４５、ガイドリング４３、ガイドリング５３、尻腹支持ベルト７、尻腰支持ベルト８が、装着具付きスカート１を装着する人Ａに触れないように、これらガイドリング４５、ガイドリング４３、ガイドリング５３、尻腹支持ベルト７、尻腰支持ベルト８を覆うような包状部を下衣２Ａの内面に形成することが好ましい。
また、ウエスト調整用のベルトを設けるようにしてもよい。
【００４５】
実施形態１２
上述した半ズボン本体部２の左右の腿回り部２３，２３の内側（内腿側）及び当該左右の腿回り部２３，２３の内側と連続する股下部を切断して、半ズボン本体部２の左右の腿回り部２３，２３の内側及び当該左右の腿回り部２３，２３の内側と連続する股下部が前後に開くように構成するとともに、各腿回り部２３，２３を締め付けて人Ａの腿回りを締め付けるための締付力を調整可能な締付力調整手段を備えた構成の装着具付きスカートとしてもよい。当該装着具付きスカートによれば、用を足す場合においては半ズボン本体部２の股下部及び左右の腿回り部２３，２３の内側を前後に開くことで装着者の股下側を開放でき、装着者は当該装着具付きスカートを穿いたまま簡単に用を足すことが可能となるので、利便性に優れた装着具付きスカートとなる。
また、上述した下衣２Ａの股下部を切断して下衣２Ａの股下部が前後に開くように構成し、通常時においては股下部が前後部分を面ファスナー等の連結手段で連結可能に構成された構成の装着具付きスカートとしてもよい。当該装着具付きスカートによれば、用を足す場合においては下衣２Ａの股下部を前後に開くことで装着者の股下側を開放でき、装着者は当該装着具付きスカートを穿いたまま簡単に用を足すことが可能となるので、利便性に優れた装着具付きスカートとなる。
【００４６】
実施形態１３
スカート１Ａの内側に、装着具として機能する実施形態１０で説明した装着ベルト３Ａ又は実施形態１１で説明した装着ベルトを備えた構成の装着具付きスカートとしてもよい。即ち、実施形態１０又は実施形態１１の下衣２Ａを備えない装着具付きスカートであってもよい。
【００４７】
実施形態１４
キュロットタイプのスカートの内側に、装着具として機能する実施形態１０で説明した装着ベルト３Ａ又は実施形態１１で説明した装着ベルトを備えた構成の装着具付きスカートとしてもよい。
【００４８】
また、各実施形態においては、装着具付きスカート１を体重免荷式の歩行支援装置の装着具として使用する場合を説明したが、本発明の装着具付きスカート１は、体重免荷機能を備えない歩行支援装置、例えば、所謂一般的な歩行器を使用する際の装着具としても使用可能である。この場合でも、歩行支援装置の支持力を人の下半身に伝達することができるので、歩行支援装置を使用している人が膝落ち等で体勢を崩した場合でも、体重が支えられ、転倒を防止できるようになる。
【符号の説明】
【００４９】
１  装着具付きスカート、１Ａ  スカート、１Ｂ，１Ｃ  装着具、
２  半ズボン本体部、２Ａ  下衣、３  締付力調整手段、３Ａ  装着ベルト、
６  尻当部、７  尻腹支持ベルト、８  尻腰支持ベルト、９  股保持部、１０  吊部、
７１  尻腹支持ベルトの左端部、７２  尻腹支持ベルトの右端部、
８１  尻腰支持ベルトの左端部、８２  尻腰支持ベルトの右端部。
【図１】
2019054847.tif 000003
【図２】
2019054847.tif 000004
【図３】
2019054847.tif 000005
【図４】
2019054847.tif 000006
【図５】
2019054847.tif 000007
【図６】
2019054847.tif 000008
【図７】
2019054847.tif 000009
【図８】
2019054847.tif 000010
【図９】
2019054847.tif 000011
【図１０】
2019054847.tif 000012
【図１１】
2019054847.tif 000013